(57)【要約】【課題】本考案は、変化自在な組合せ式電子製品支持台座を提供する。【解決手段】主に、台座と、支持ブロックと、連結ブロックと、延長ブロックとを組み合わせてなる。前記台座はＬ形を呈し、前記台座の長い端の辺の内側にはスライド溝が設けられ、スライド溝には、支持ブロック及び連結ブロック及び延長ブロックのレール部が差し込まれてスライド移動させることができる。それと同時に、支持ブロック及び連結ブロック及び延長ブロックを左右にスライド移動させることで距離を調整することができ、電子製品を台座と支持ブロック或いは延長ブロックの中央の隙間に置いて、台座の短い方の端辺で電子製品を固定することができる。【選択図】図１
0003173929.tif 000002
【実用新案登録請求の範囲】
【請求項１】
台座と、支持ブロックと、連結ブロックと、延長ブロックとからなる変化自在な組合せ式電子製品支持台座であって、
前記台座は、Ｌ形の可撓性ブロック体であるとともに、滑り止めの材質からなり、前記台座の長い端の辺の内側にはスライド溝が設けられ、前記台座における長い端の辺の内側のスライド溝に近接する端の辺には、長い端の辺の内側のスライド溝と垂直をなす別のスライド溝が設けられ、
支持ブロックは、可撓性ブロック体であるとともに、滑り止めの材質からなり、支持ブロックの一端の辺にはレール部が設けられ、支持ブロックにおけるレール部が設けられた辺に隣接する端の辺はスライド溝を形成し、支持ブロックにおけるスライド溝に対応する端の辺の底部にはレール部が設けられ、
連結ブロックは、可撓性ブロック体であるとともに、滑り止めの材質からなり、連結ブロックの一端の辺にはレール部が設けられ、連結ブロックにおけるレール部が設けられた辺に隣接する端の辺はスライド溝を形成し、連結ブロックにおけるスライド溝に対応する端の辺は延伸してレール部を形成し、
延長ブロックは、可撓性ブロック体であるとともに、滑り止めの材質からなり、延長ブロックにおける隣接する二つの辺にはレール部が設けられ、
台座及び支持ブロック及び連結ブロック及び延長ブロックを相互に組み合わせることにより、支持ブロック及び連結ブロック及び延長ブロックのレール部を、台座のスライド溝内で自由にスライド移動させることができるとともに、台座と支持ブロック及び連結ブロック及び延長ブロックの隙間を調整することができ、それにより、電子製品の固定する傾斜角度を制御することができ、また、台座のスライド溝と支持ブロック及び連結ブロック及び延長ブロックのレール部の結合は、様々な組み合わせに変化させることができることを特徴とする、変化自在な組合せ式電子製品支持台座。
【請求項２】
前記台座は、支持ブロック或いは連結ブロック或いは延長ブロックに連結され、連結ブロックは少なくとも一つ以上であることを特徴とする、請求項１に記載の変化自在な組合せ式電子製品支持台座。
【請求項３】
前記支持ブロック及び連結ブロック及び延長ブロックのレール部と台座のスライド溝は、隙間を形成することを特徴とする、請求項１に記載の変化自在な組合せ式電子製品支持台座。
【請求項４】
前記台座のスライド溝に隣接する面には、粒状部或いは棒状部が設けられることを特徴とする、請求項１に記載の変化自在な組合せ式電子製品支持台座。
【請求項５】
前記台座及び支持ブロック及び連結ブロックのスライド溝は、内側が広く外側が狭い形状、或いは、内側が狭く外側が広い形状を形成し、支持ブロック及び連結ブロック及び延長ブロックのレール部は、前記台座及び支持ブロック及び連結ブロックのスライド溝に対応するように、内側が狭く外側が広い形状、或いは、内側が広く外側が狭い形状を形成することを特徴とする、請求項１に記載の変化自在な組合せ式電子製品支持台座。
【考案の詳細な説明】
【技術分野】
【０００１】
本考案は変化自在な組合せ式電子製品支持台座に関し、特にスライド溝とレール部の組合せにより、台座と、支持ブロック或いは連結ブロック或いは延長ブロックの結合を変えることができ、台座の各種角度と高さを調整し、各類電子製品に適用させることができる電子製品支持台座に関する。
【背景技術】
【０００２】科学技術の進歩に伴い、市場に出回っている電子製品の種類は多い。例えば、携帯電話、タブレットＰＣ、ＭＰ３〜５、（公序良俗違反につき、不掲載）デジタルフォトフレーム、電子モニター等である。また、使用者は、毎日、各種の電子製品を利用して（公序良俗違反につき、不掲載）、テレビ、映画、或いは、電子書籍を見る。しかしながら、これらの電子製品を置くことができる専用の台座がない。従って、使用者は、手に取ったり、或いは、別の物の上に置いたりして高くする必要があるため、かなり不便である。また、電子製品を置いて高くするための代替物は、電子製品を支えるのに適しているとは限らないため、滑ったり、ぐらぐらしたりして、電子製品を損傷させてしまう危険がある。
【考案の概要】
【考案が解決しようとする課題】
【０００３】
そこで、本考案は、変化自在な組合せ式電子製品支持台座を提供することを目的とする。
【課題を解決するための手段】
【０００４】
本考案の変化自在な組合せ式電子製品支持台座は、主に、台座と、支持ブロックと、連結ブロックと、延長ブロックとを組み合わせてなる。前記台座はＬ形を呈し、前記台座の長い端の辺の内側にはスライド溝が設けられ、スライド溝には、支持ブロック及び連結ブロック及び延長ブロックのレール部が差し込まれてスライド移動させることができる。それと同時に、支持ブロック及び連結ブロック及び延長ブロックを左右にスライド移動させることで距離を調整することができ、電子製品を台座と支持ブロック或いは延長ブロックの中央の隙間に置いて、台座の短い方の端辺で電子製品を固定することができる。
【考案の効果】
【０００５】本考案は、市場に出回っている各種電子製品（例えば、携帯電話、タブレットＰＣ、ＭＰ３〜５、（公序良俗違反につき、不掲載）、デジタルフォトフレーム、電子モニター等）を置いて固定することができ、規格やサイズが合わずに置くことができないという心配をする必要がない。
【図面の簡単な説明】
【０００６】
【図１】本考案の分解斜視図である。
【図２】本考案を組み立てた状態を示した斜視図である。
【図３】本考案のレール部の間に隙間を有している様子を示した説明図である。
【図４】本考案のレール部をスライド移動させる状態を示した説明図である。
【図５】本考案を使用した状態を示した説明図である。
【図６】本考案の実施例１を示した説明図である。
【図７】本考案の実施例２を示した説明図である。
【図８】本考案の実施例３を示した説明図である。
【図９】本考案を傾斜して使用した実施例を示した説明図である。
【図１０】本考案の台座の別の実施例を示した説明図である。
【図１１】本考案の台座のもう一つの実施例を示した説明図である。
【図１２】本考案の台座の更にもう一つの実施例を示した説明図である。
【図１３】本考案のレール部とスライド溝の結合の別の実施例を示した説明図である。
【図１４】本考案のレール部とスライド溝の結合のもう一つの実施例を示した説明図である。
【考案を実施するための形態】
【０００７】
まず、図１を参照する。図１は、本考案の分解斜視図である。本考案は、台座２０と、支持ブロック２１と、連結ブロック２２と、延長ブロック２３とからなる。台座２０、支持ブロック２１、連結ブロック２２、延長ブロック２３はいずれも可撓性のブロック体であるとともに、滑り止め効果を備えている。台座２０はＬ形を呈しており、長い端の辺の内側には、スライド溝２０１が設けられ、スライド溝２０１の近接する端の辺には、スライド溝２０２が設けられており、スライド溝２０２はスライド溝２０１と垂直である。また、支持ブロック２１の一端の辺にはレール部２１０が設けられるとともに、隣接する端の辺はスライド溝２１１を形成し、スライド溝２１１に対応する端の辺の底部にはレール部２１２が設けられる。連結ブロック２２の一端の辺にはレール部２２０が設けられるとともに、隣接する端の辺はスライド溝２２２を形成し、スライド溝２２２に対応する端の辺は延伸してレール部２２１を形成する。延長ブロック２３における隣接する二つの辺は、レール部２３０、２３１をそれぞれ形成する。
【０００８】
続いて、台座２０と、支持ブロック２１及び連結ブロック２２及び延長ブロック２３の組合せ方式について説明を行う。引き続き図１を参照する。まず、支持ブロック２１のスライド溝２１１を連結ブロック２２のレール部２２１に挿入することで、支持ブロック２１と連結ブロック２２を結合させるとともに、支持ブロック２１のレール部２１０と連結ブロック２２のレール部２２０を平行に対応させることができる。次に、連結ブロック２２のスライド溝２２１を延長ブロック２３のレール部２３１に挿入することで、レール部２１０、２２０、２３０を平行に連結させることができる。さらに、延長ブロック２３及び連結ブロック２２及び支持ブロック２１のレール部２３０、２２０、２１０を、台座２０のスライド溝２０１に沿って内側へスライド移動させ、台座２０と、支持ブロック２１及び連結ブロック２２及び延長ブロック２３を結合させると長方形のブロック体が形成され、支持台座２となる（図２に図示）。それにより、支持台座２は、支持ブロック２１或いは連結ブロック２２或いは延長ブロック２３を台座２０でスライド移動させることができ、携帯や収納に非常に便利である。特に、連結ブロック２２の一端の辺には、レール部２２１が設けられ、それに対応する端の辺にはスライド溝２２２が設けられる。それにより、使用者のニーズに合わせて、複数の連結ブロック２２を連結させて、支持台座２の重心を更に安定させることができる。
【０００９】
レール部２１０、２２０、２３０の長さは、支持ブロック２１、連結ブロック２２、及び、延長ブロック２３よりわずかに短い。従って、レール部２１０、２２０、２３０を台座２０に差し込んだ時に隙間が形成され（図３に図示）、それにより、支持ブロック２１及び連結ブロック２２及び延長ブロック２３をスライド移動させた時、弾性空間が生じ、スムーズにスライド移動させることができ、支持ブロック２１及び連結ブロック２２及び延長ブロック２３の連結が緊密すぎて隙間がなくなってスライド移動させるのにかなりの力が必要となる状況が生じないようにすることができる。連結ブロック２２及び延長ブロック２３の側辺に配置されたレール部２２１、２３１には隙間が設けられ、レール部２２１、２３１とスライド溝２１１、２２２を結合させた時、同様に、隙間を生じさせ、支持ブロック２１及び連結ブロック２２及び延長ブロック２３を組み立てる或いは分解する時、スムーズ且つ少ない力で行うことができ、非常に便利である。
【００１０】本考案の使用に関して説明を行う。図４を参照する。図４は、本考案のレール部をスライド移動させる状態を示した説明図である。支持ブロック２１及び連結ブロック２２及び延長ブロック２３は、レール部２１０、２２０、２３０（図１も併せて参照する）により、台座２０のスライド溝２０１内で自由にスライドさせることができ、それにより、延長ブロック２３と台座２０の短い方の端辺に隙間３を形成させることができ、電子製品４（例えば、携帯電話、タブレットＰＣ、ＭＰ３〜５、（公序良俗違反につき、不掲載）、デジタルフォトフレーム、電子モニター等）を傾斜させて隙間３に置くことができる（図５に図示）。電子製品４は、台座２０に係止されることにより、台座２０の短い方の端辺に固定される。それにより、電子製品４は適切な角度傾斜し、使用者が見やすくなる。また、延長ブロック２３及び連結ブロック２２及び支持ブロック２１をスライド移動させることにより、電子製品４の傾斜角度を調整することができ、しかも、使用者の好みに合わせてスライド移動させて調整することができる。なお、台座２０及び延長ブロック２３及び連結ブロック２２及び支持ブロック２１は、いずれも滑り止め機能を有している。従って、電子製品４を安定して固定することができ、非常に安全である。
【００１１】
支持ブロック２１の適用について説明を行う。図６を参照する。図６は、本考案の実施例を示した説明図である。電子製品４が長い時は、電子製品４の傾斜角度を高くするために、高めの支持ブロック２１が必要である。この時、支持ブロック２１を垂直に立て、支持ブロック２１のレール部２１２と台座２０のスライド溝２０１を対応させてスライド移動させ、同様に、台座２０と支持ブロック２１の間に隙間３を生じさせることにより、電子製品４を傾斜させて隙間３に置くことができるとともに、電子製品４の前端底部を台座２０の短い方の端辺に係止させることができる。この時、電子製品４は、後ろ向き且つ下向きの力が生じるため、底端には、前方上向きの力が生じ、支持台座２を押して不安定な状態になる。しかし、電子製品４の後端は支持ブロック２１及び連結ブロック２２に支えられ、しかも、連結ブロック２２のレール部２２０を台座２０のスライド溝２０２に挿入することで（図示せず）、台座２０の重心を安定させることができ、使用する上で更に安全にすることができる。
【００１２】
延長ブロック２３を支持ブロック２１に結合させて使用する時は、図７に示すように、まず、連結ブロック２２のレール部２２１を支持ブロック２１のスライド溝２１１に嵌め込み、更に、延長ブロック２３のレール部２３１を連結ブロック２２のスライド溝２２２に差込むことにより（再び、図１を参照する）、レール部２１０、２２０、２３０を対応させて平行にし、さらに、支持ブロック２１の側辺のレール部２１２を台座２０のスライド溝２０１に差し込むと、同様に、レール部２１２をスライド移動させることにより隙間３を調整することができ、電子製品４の傾斜角度を制御することができる。この場合、幅の広い電子製品４を傾斜させて台座２０の短い方の端辺に係止させて固定させることができる。支持台座２は、電子製品４の外形及び規格に応じて適切な支持力をもつ支持位置に調整することができるため、使用者は支持台座２を使用するだけで、各種の異なる型式の電子製品４を置くことができる。従って、非常に便利であるとともに、他の台座を買う必要がないため、コストが節約できるだけでなく、環境にも優しい。
【００１３】
各種の異なる規格、重量の電子製品に対応させるために、支持ブロック２１及び連結ブロック２２及び延長ブロック２３の組合せを変化させることができる。図８に示すように、支持ブロック２１の側辺のレール部２１２をまず台座２０のスライド溝２０１に差込み、支持ブロック２１を直立状態にし、さらに、連結ブロック２２のレール部２２０を支持ブロック２１のスライド溝２１１に差込み、延長ブロック２３のレール部２３０を連結ブロック２２のスライド溝２２１に差込み、台座２０の重心を後ろに延伸させて、重い電子製品４を支えることができ、電子製品を隙間３内に安定させて置くことができる。
【００１４】
次に、図９を参照する。まず、支持台座２に電子製品４を挟んで固定し、さらに、支持台座２と電子製品４の底部を傾斜させて机の上或いは平らな場所に置くと、支持台座２底部の支持ブロック２１と電子製品４の底部、両端が交差し、且つ相互に係止され、電子製品４を安定して直立させることができる。支持台座２は、電子製品の規格に合わせて各種の支持形態を形成させることができ、消費者が支持台座の組合せ方法をいつでも変化させることができるため、実用的且つ便利である。
【００１５】
また、電子製品をより安定させて支持するために、台座２０の設計は、台座２０のスライド溝に隣接する面に、突出した粒状部２０４、或いは、棒状部２０５を設けることができる（図１０と図１１に図示）。それにより、台座２０の内側に摩擦力をもたせることができる。また、台座２０の短い辺には溝孔２０６を設けることもでき、溝孔２０６には、摩擦力が優れた滑り止めブロック２０７が配置される（図１２に図示）。それにより、電子製品を挟んで固定する時、電子製品が滑って外れてしまうのを防ぐことができ、さらに安定固定することができる。本考案の支持台座は、磁化させることにより、或いは、磁石を設けることにより、磁力を備えさせて、金属の表面、或いは、机の上に吸いつかせることができ、安定性を向上させることができ、且つ収納が便利になる。
【００１６】
スライド溝２０１、２０２、２１１、２２２と、レール部２１０、２１２、２２０、２２１、２３０、２３１の結合（図１を再び参照）には、二種類の方法がある。図１３に示すように、一つ目の方法は、スライド溝５０１の溝口５０１１に内側が広く外側が狭い形状を形成させ、レール部５１０を溝口５０１１の形状に対応させて内側が狭く外側が広い形状にし、しかも、溝口５０１１のサイズをレール部５１０のサイズよりわずかに大きくする。それにより、レール部５１０をスライド溝５０１からから取り出す時、レール部５１０をスライド溝５０１の端辺の方向へ少し力を入れるだけで、溝口５０１１の設計により、レール部５１０と形成された隙間により、レール部５１０をスライド溝５０１から簡単に取り出すことができる。二つ目の方法は、図１４に示すように、スライド溝６０１の溝口６０１１に内側が狭く外側が広い形状を形成させ、レール部６１０を溝口６０１１の形状に対応させて内側が広く外側が狭い形状にする。それにより、レール部６１０をスライド溝６０１から取り出したい時、同様に、レール部６１０に向かって力を加えるだけで、レール部６１０は、溝口６０１１の設計により、スライド溝６０１との間に隙間が形成され、レール部６１０をスライド溝６０１から簡単に取り出すことができる。
【符号の説明】
【００１７】
２      支持台座                                      
２０    台座                
２０１、２０２、２１１、２２２、５０１、６０１    スライド溝  
５０１１、６０１１      溝口          
２０４    粒状部
２０５    棒状部
２０６    溝孔
２０７    滑り止めブロック
２１      支持ブロック
２１０、２１２、２２０、２２１、２３０、２３１、５１０、６１０    レール部
２２      連結ブロック
２３      延長ブロック  
３        隙間                              
４        電子製品        
【図１】
0003173929.tif 000003
【図２】
0003173929.tif 000004
【図３】
0003173929.tif 000005
【図４】
0003173929.tif 000006
【図５】
0003173929.tif 000007
【図６】
0003173929.tif 000008
【図７】
0003173929.tif 000009
【図８】
0003173929.tif 000010
【図９】
0003173929.tif 000011
【図１０】
0003173929.tif 000012
【図１１】
0003173929.tif 000013
【図１２】
0003173929.tif 000014
【図１３】
0003173929.tif 000015
【図１４】
0003173929.tif 000016
【手続補正書】
【提出日】平成23年12月19日(2011.12.19)
【手続補正１】
【補正対象書類名】明細書
【補正対象項目名】０００２
【補正方法】変更
【補正の内容】
【０００２】
科学技術の進歩に伴い、市場に出回っている電子製品の種類は多い。例えば、携帯電話、タブレットＰＣ、ＭＰ３〜５、デジタルフォトフレーム、電子モニター等である。また、使用者は、毎日、各種の電子製品を利用して動画視聴サイト、テレビ、映画、或いは、電子書籍を見る。しかしながら、これらの電子製品を置くことができる専用の台座がない。従って、使用者は、手に取ったり、或いは、別の物の上に置いたりして高くする必要があるため、かなり不便である。また、電子製品を置いて高くするための代替物は、電子製品を支えるのに適しているとは限らないため、滑ったり、ぐらぐらしたりして、電子製品を損傷させてしまう危険がある。
【手続補正２】
【補正対象書類名】明細書
【補正対象項目名】０００５
【補正方法】変更
【補正の内容】
【０００５】
本考案は、市場に出回っている各種電子製品（例えば、携帯電話、タブレットＰＣ、ＭＰ３〜５、デジタルフォトフレーム、電子モニター等）を置いて固定することができ、規格やサイズが合わずに置くことができないという心配をする必要がない。
【手続補正３】
【補正対象書類名】明細書
【補正対象項目名】００１０
【補正方法】変更
【補正の内容】
【００１０】
本考案の使用に関して説明を行う。図４を参照する。図４は、本考案のレール部をスライド移動させる状態を示した説明図である。支持ブロック２１及び連結ブロック２２及び延長ブロック２３は、レール部２１０、２２０、２３０（図１も併せて参照する）により、台座２０のスライド溝２０１内で自由にスライドさせることができ、それにより、延長ブロック２３と台座２０の短い方の端辺に隙間３を形成させることができ、電子製品４（例えば、携帯電話、タブレットＰＣ、ＭＰ３〜５、デジタルフォトフレーム、電子モニター等）を傾斜させて隙間３に置くことができる（図５に図示）。電子製品４は、台座２０に係止されることにより、台座２０の短い方の端辺に固定される。それにより、電子製品４は適切な角度傾斜し、使用者が見やすくなる。また、延長ブロック２３及び連結ブロック２２及び支持ブロック２１をスライド移動させることにより、電子製品４の傾斜角度を調整することができ、しかも、使用者の好みに合わせてスライド移動させて調整することができる。なお、台座２０及び延長ブロック２３及び連結ブロック２２及び支持ブロック２１は、いずれも滑り止め機能を有している。従って、電子製品４を安定して固定することができ、非常に安全である。